(57)【要約】【課題】  リール型キーホルダー用の構成が簡単な施錠確認支援装置を提供すること。【解決手段】  施錠確認支援装置２は、リール型キーホルダーと施錠確認支援用電子装置とで構成されている。前記施錠確認支援用電子装置は、キー使用センサ２０と電子時計とで構成されている。キー使用センサ２０は、キーホルダーのリールケース３のストラップ５のストラップストッパ６によって可動接点バネが操作され、ストラップ引き延ばし信号とストラップ巻き戻し信号をそれぞれ発生させるものである。前記電子時計は、前記ストラップ巻き戻し信号が発生したときにその時刻を確認時刻としてデータ記憶部に記憶し且つ確認信号が入力されたときには前記データ記憶部に記憶されている確認時刻を読み出して表示器に表示させるものである。【選択図】  図１
2007023478.tif 000002
【特許請求の範囲】
【請求項１】
ゼンマイバネにより付勢されたストラップが巻回されたリールをリールケース内に収納し、且つ前記リールケースのストラップ案内穴を通してケース外に露出させた前記ストラップの自由端にキー取付け金具を固定したリール型キーホルダーと施錠確認支援用電子装置とで構成された施錠確認支援装置であって、
前記施錠確認支援用電子装置は、前記リールケースに配置されて前記ストラップの自由端の近くに取付けられたストラップストッパによって可動接点が操作されストラップ引き延ばし信号とストラップ巻き戻し信号をそれぞれ発生させるキー使用センサと、前記ストラップ巻き戻し信号が発生したときにその時刻を確認時刻としてデータ記憶部に記憶し且つ確認信号が入力されたときには前記データ記憶部に記憶されている確認時刻を読み出して表示器に表示させる電子時計とから成るものであることを特徴とする施錠確認支援装置。
【請求項２】
ゼンマイバネにより付勢されたストラップが巻回されたリールをリールケース内に収納し、且つ前記リールケースのストラップ案内穴を通してケース外に露出させた前記ストラップの自由端にキー取付け金具を固定したリール型キーホルダーと施錠確認支援用電子装置とで構成された施錠確認支援装置であって、
前記施錠確認支援用電子装置は、前記リールケースに配置されて前記ストラップの自由端の近くに取付けられたストラップストッパによって可動接点が操作されストラップ引き延ばし信号とストラップ巻き戻し信号をそれぞれ発生させるキー使用センサと、前記トラップ引き延ばし信号が発生してから所定時間経過した後にストラップ巻き戻し信号が発生したときにその時刻を確認時刻としてデータ記憶部に記憶し且つ確認信号が入力されたときには前記データ記憶部に記憶されている確認時刻を読み出して表示器に表示させる電子時計とから成るものであることを特徴とする施錠確認支援装置。
【請求項３】
前記キー使用センサは、固定接点と、ストラップ巻き戻し時には前記固定接点から離間させられ且つストラップ引き延ばし時には前記固定接点に接触するように配置された可動接点バネとを有するオンオフスイッチであることを特徴とする請求項１又は２に記載の施錠確認支援装置。
【発明の詳細な説明】
【技術分野】
【０００１】
本発明は、ゼンマイバネにより付勢されたストラップが巻回されたリールをリールケース内に収納し、且つ前記リールケースのストラップ案内穴を通してケース外に露出させた前記ストラップの自由端にキー取付け金具を固定したリール型キーホルダーに適用される施錠確認支援装置に関する。
【背景技術】
【０００２】
第１の従来の施錠確認支援装置としては、特許文献１と特許文献２に開示されたものがある。この第１の従来の施錠確認支援装置は、非特許文献１に開示されている通り、楽キーケースの商品名で唯一実用化されている。この実用化商品は、キーケースにキー出し入れセンサと電子時計と確認ボタンを備えて構成されている。前記電子時計は計時部、記憶部、制御部及び表示器とで構成されたものであり、前記キー出し入れセンサのキー戻し信号が発生すると前記制御部は現在時刻を施錠確認時刻として前記記憶部に記憶する。そして、前記確認ボタンが操作されたときには、前記制御部は前記記憶部に記憶されている施錠確認時刻を読み出して前記表示器に表示する。表示された施錠確認時刻を見て、利用者は施錠した時刻を知ることが出来るので、施錠し忘れを防止できる。
【０００３】
しかしながら上述の実用化商品や特許文献１に開示の施錠確認支援装置は、キーケースに収納できるキーが１個だけであること、収納できるキーの形状やサイズに制限があることから、利用し難いという問題がある。更に、上記の第１の従来の施錠確認支援装置は、これに採用されているキー出し入れセンサが特許文献２に開示されている如く非常に複雑であるため、製造コストが高いという問題がある。
【０００４】
特許文献２には、押え部材によってキー本体をキー収納室の壁面に押圧してキーを保持するキーケースと、前記キーケースからキーが取り出されたこと又は前記キーケースにキーが戻されたことを検出するキー出し入れセンサと、前記キー出し入れセンサの出力信号が発生した時刻を施錠時刻として記憶し表示する電子時計とから構成された施錠確認支援装置が開示されている。そして、前記押え部材を回転軸に対して直角に形成された凹部とその左右に形成された一対の翼状押え部とを有する合成樹脂製カム状押え部材とし、前記壁面の方向にバネによって付勢されるようにして前記キー収納室の出入口近くに回転可能に配置されている。このように、第１の従来の施錠確認支援装置は、キー出し入れセンサの構造が複雑であり、組立ても容易ではないのである。
【０００５】
更に、第１の従来の施錠確認支援装置は、キーとキー出し入れセンサを収納するプラスチック製キーケースが特殊な構造であるので、自動車用キーの如きキーヘッドの大きいキーを収納できないという問題がある。このため、サイズや外観を変えた多種類のデザインのプラスチック製キーケースを製造することが要求されているが、デザインを変更するたびに金型を製造しなければならないので、メーカーの経済的負担が大きく、これは実現困難な状況にある。
【０００６】
そこで、特許文献３に開示されている通り、自動車用キーも保持でき、複数のキーを保持できるキーケースに適用された施錠確認支援装置が提案された。この第２の従来の施錠確認支援装置は、第１板状部材と第２板状部材を有する定期券入れ型の二つ折りキーケースに適用されたものであって、夫々の一端を回転可能にしてキーケースの第２板状部材に取付けられた複数の金属製アーム型キー留め具と、制御部と記憶部と表示器を具備し前記キーケースの第１板状部材に取付けられた電子装置と、前記キーケースの第２板状部材に取付けられて前記金属製アーム型キー留め具の回転を検出してキー出し入れ信号を発生する複数のキー出し入れセンサとで構成され、前記制御部は前記キー出し入れ信号が発生したときにその時刻を施錠確認時刻として前記記憶部に記憶させ、確認信号が入力されたときに前記記憶部から施錠確認信号を読み出して前記表示器に表示させるものである。
【０００７】
この第２の従来の施錠確認支援装置によれば、複数のキーの夫々の施錠確認時刻が記憶され、確認ボタンの操作で当該キーの施錠確認時刻が表示されるものであるから、正しく複数のキーを保持するキーケースの施錠確認支援装置として機能している。しかしながら、この従来の施錠確認支援装置は、キー出し入れセンサが特殊な構造であるために、製造コストが高くなり、未だに実用化されていない。
【０００８】
ところで、ゼンマイバネにより付勢されたストラップが巻回されたリールをリールケース内に収納し、且つ前記リールケースのストラップ案内穴を通してケース外に露出させた前記ストラップの自由端にキー取付け金具を固定したリール型キーホルダーは市販されているが、特許文献４にも開示されている。
【０００９】
リール型キーホルダーはリールケースをベルトに取り付けたまま施解錠行為ができるのが特長であり、多くの利用者が存在しているようである。そこで、リール型キーホルダーに備えられて利用者の施錠確認を支援する施錠確認支援装置の提供が求められてきた。ところが、リール型キーホルダーはキーを露出して携帯するものである。このため、特許文献１や特許文献２に開示の施錠確認支援装置に採用されているキー出し入れセンサを採用できないという問題があった。
【特許文献１】特許第３３１２９００号公報
【特許文献２】特開２００４−３３２４８１号公報
【特許文献３】特開２００４−１２４６１０号公報
【特許文献４】実開平３−１０６９９０号公報
【非特許文献１】日経流通新聞  ２００３年８月５日  「鍵を使った時刻分かる」
【発明の開示】
【発明が解決しようとする課題】
【００１０】
本発明が解決しようとする第１の課題は、キー取付け金具がストラップの自由端に取付けられたリール型キーホルダーに備えられて利用者の施錠確認を支援する構成が簡単な施錠確認支援装置を提供することである。
本発明が解決しようとする第２の課題は、施解錠時以外に生じるリール型キーホルダーからのストラップの引き延ばしによって誤操作しない施錠確認支援装置を提供することである。
【課題を解決するための手段】
【００１１】
上記課題を解決する施錠確認支援装置を、ゼンマイバネにより付勢されたストラップが巻回されたリールをリールケース内に収納し、且つ前記リールケースのストラップ案内穴を通してケース外に露出させた前記ストラップの自由端にキー取付け金具を固定したリール型キーホルダーと、施錠確認支援用電子装置とで構成した。そして、前記施錠確認支援用電子装置を、前記ケースに配置されて前記ストラップの自由端に取付けられたキー取付け金具によって操作されストラップ引き延ばし信号とストラップ巻き戻し信号をそれぞれ発生させるキー使用センサと、前記ストラップ巻き戻し信号が発生したときにその時刻を確認時刻としてデータ記憶部に記憶し且つ確認信号が入力されたときには前記データ記憶部に記憶されている確認時刻を読み出して表示器に表示させる電子時計とで構成した。
【発明の効果】
【００１２】
本発明により、構成が簡単なリール型キーホルダー用の施錠確認支援装置が提供された。そして、本発明により、施解錠時以外に生じるリール型キーホルダーからのストラップの引き延ばしによって、誤操作しない施錠確認支援装置が提供された。更に、複数のリールを備えるリール型キーホルダー用の施錠確認支援装置は、それぞれのリールのストラップに取付けられたキーの施錠確認を個別に行うことができるようになった。
【発明を実施するための最良の形態】
【００１３】
本発明は、ゼンマイバネにより付勢されたストラップが巻回されたリールをリールケース内に収納し、且つ前記リールケースのストラップ案内穴を通してケース外に露出させた前記ストラップの自由端にキー取付け金具を固定したリール型キーホルダーと施錠確認支援用電子装置とで構成された施錠確認支援装置であって、
前記施錠確認支援用電子装置は、前記ケースに配置されて前記ストラップの自由端の近くに取付けられたストラップストッパによって可動接点が操作されストラップ引き延ばし信号とストラップ巻き戻し信号をそれぞれ発生させるキー使用センサと、前記ストラップ巻き戻し信号が発生したときにその時刻を確認時刻としてデータ記憶部に記憶し且つ確認信号が入力されたときには前記データ記憶部に記憶されている確認時刻を読み出して表示器に表示させる電子時計とから成るものであることを特徴とするものである。
【実施例１】
【００１４】
本発明の施錠確認支援装置の実施例１は、２個のリールを備えたリール型キーホルダーと施錠確認支援用電子装置１０とで構成されたものである。
【００１５】
リール型キーホルダーは、市販されている周知の構造のキーホルダーである。即ち、リール型キーホルダーは、図１の斜視図に示す如く、ゼンマイバネにより時計方向又は反時計方向に付勢され且つストラップ５が巻回された２個のリールをリールケース３内に収納し、ストラップ５の自由端５ａをリールケース３のストラップ案内穴を通してケース外に露出させ、キー取付け金具７をストラップ５の自由端５ａに取付けて構成されたストラップ引き延ばし型キーホルダーである。ストラップ５の自由端５ａの近くには、ストラップ５の自由端５ａがリールケース内に巻き込まれないようにするストラップストップ６が取付けられている。なお、ストラップストップ６はキー取付け金具７で兼用させることも可能である。
【００１６】
施錠確認支援用電子装置１０は、図２のブロック回路図に示す通り、電子時計とキー使用センサ２０とで構成されたものである。そして、前記電子時計は、プログラムに従って各種の演算と制御を行うＣＰＵの如き制御部１１、時刻を計時する計時部１２、前記プログラムが記憶されたＲＯＭの如きプログラム記憶部１３、施錠確認時刻などのデータが記憶されるＲＡＭの如きデータ記憶部１４、時刻設定ボタン１５、液晶表示器１６、及び施錠確認時刻を確認するための確認ボタン１７とで構成されている。前記電子時計の液晶表示器１６を除く構成要素は、リール型キーホルダーのリールケース３内に配置されている。液晶表示器１６は、図１に示す如く、リールケース３にヒンジにより取付けられているリール型キーホルダーの蓋４の内側に配置されている。キー使用センサ２０は、リール型キーホルダーのリールケース３に収納されているリール毎に配置されている。
【００１７】
キー使用センサ２０は、リール型キーホルダーのリールケース３に取付けられ、ストラップ引き延ばし信号とストラップ巻き戻し信号を発生させるオンオフスイッチ型センサである。即ち、キー使用センサ２０は、図３の模式的断面図に示す如く、センサケース２３に取付けられた固定接点２２と、ストラップ巻き戻し時には固定接点２２に接触しているカンチレバー型可動接点バネ２１と、ストラップ引き延ばし時にカンチレバー型可動接点バネ２１を固定接点２２から離間させる操作部材とで構成されている。前記操作部材は、ストラップ５の自由端５ａの近くに設けられたストラップストップ６である。カンチレバー型可動接点バネ２１は、可動接点部２１ａと、センサケース２３の固定された固定部２１ｂと、これらを結ぶバネ部とで構成されている。前記バネ部はストラップ引き延ばし時（図３（Ｂ））には、可動接点部２１ａを固定接点２２に接触させるように特性付けられている。また、前記バネ部はストラップ引き延ばしが開始されてから可動接点部２１ａが固定接点２２に接触させるまでに或る程度の時間がかかるようなバネ特性のものが望ましい。前記の或る程度の時間は、キー使用センサ２０がストラップ引き延ばし信号を瞬時に発生させないようにするためであり、従って施錠や解錠以外のときに施錠確認時刻がデータ記憶部１４に記憶されないようにするためである。
【００１８】
カンチレバー型可動接点バネ２１の前記バネ部の中央部分にはストラップ案内穴２１ｃが形成されている。また、ストラップ案内穴２１ｃに隣接するセンサケース２３の側面にもストラップ案内穴２３ｂが形成されている。ストラップ案内穴２１ｃと２３ｂの大きさは、ストラップストップ６の大きさよりも小さく選定されている。更に、センサケース２３の固定接点２２が配置されている側面にはストラップストッパ案内穴２３ａが形成されている。更にまた、ストラップストッパ案内穴２３ａに隣接するリールケース３の側面にもストラップストッパ案内穴３ａが形成されている。ストラップ案内穴２３ａと３ａの大きさは、ストラップストップ６の大きさよりも大きく選定されている。
【００１９】
実施例１の施錠確認支援装置の処理の流れは図４の如くである。利用者がリール型キーホルダーからキー１を取り出すと、キー１が自由端５ａに取付けられているストラップ５はリールケース３から引き延ばされる。すると、ストラップ５の自由端５ａ近くに取付けられているストラップストッパ６はリールケース３側から離され、それまでストラップストッパ６でリールケース３側に強制的に移動させられていたキー使用センサ２０の可動接点バネ２１はバネの弾性力によってリールケース３からは離れる方向に移動させられ、センサケース２３に設置されている固定接点２２に接触する。これによって、キー使用センサ２０はストラップ引き延ばし信号を発生する。すると、制御部１１はストラップ引き延ばし信号の発生を検出する（１０１）。
【００２０】
利用者がリール型キーホルダーにキー１を戻すと、キー１が自由端５ａに取付けられているストラップ５はリールケース３内に配置されているリールにゼンマイバネの作用により自動的に巻き戻される。すると、ストラップ５の自由端５ａ近くに取付けられているストラップストッパ６はリールケース３側に引っ張られ、それまでバネの弾性力によってセンサケース２３の固定接点２２に接触していたキー使用センサ２０の可動接点バネ２１はストラップストッパ６によってリールケース３側に強制的に移動させられる。これによって、キー使用センサ２０はストラップ巻き戻し信号を発生する。すると、制御部１１はストラップ巻き戻し信号の発生を検出する（１０２）。続いて、制御部１１は、ストラップ引き延ばし信号の発生からストラップ巻き戻し信号の発生までの経過時間ｔを算出し（１０３）、前記経過時間が施解錠所要時間Ｔを越えているか否かを判断する（１０４）。ステップ１０４の判断結果がＹＥＳならば、制御部１１は現在時刻を施錠確認時刻としてデータ記憶部１４に記憶させ（１０５）、そして処理の流れは最初のステップ１０１に戻る。このようにして、利用者は、リール型キーホルダーからキー１を取り出し、施錠を行い、そしてキー１をリール型キーホルダーに戻すだけで、自分が行った施錠行為を施錠確認時刻によって記憶することができる。
【００２１】
ステップ１０４の判断結果がＮＯならば、処理の流れはステップ１０４から最初のステップ１０１に戻る。この場合は、制御部１１は施錠行為がなされなかったと判断したのである。従って、施錠行為や解錠行為以外のときに、ストラップ５がリール型キーホルダーから引き延ばされても、誤った施錠確認時刻の記憶はなされないのである。
【００２２】
ところで、キー使用センサ２０は図３に示した構造のものに限定されないことは勿論である。例えば、図３に示したカンチレバー型可動接点バネ２１と固定接点２２とから構成されたキー使用センサ２０において、カンチレバー型可動接点バネ２１をバネと前記バネに付勢された可動接点の２つの部品で構成することもできる。また、図３のキー使用センサ２０は、ストラップ引き延ばし時にオンでストラップ巻き戻し時にオフとなる構成であるが、ストラップ引き延ばし時にオフでストラップ巻き戻し時にオンとなる構成にしてもよい。更にまた、ストラップ案内穴の周囲に一対の固定接点を設け、且つストラップストッパ６を可動接点に兼用したキー使用センサも構成することもできる。
【図面の簡単な説明】
【００２３】
【図１】リール型キーホルダーと施錠確認支援用電子装置とで構成された施錠確認支援装置の一実施例の斜視図である。
【図２】施錠確認支援用電子装置の一実施例のブロック回路図である。
【図３】キー使用センサの模式的断面図である。
【図４】実施例１の施錠確認支援用電子装置の処理の流れを示したフローチャートである。
【符号の説明】
【００２４】
１  キー
２  施錠確認支援装置
３  リールケース
３ａ  ストラップストッパ案内穴
４  蓋
５  ストラップ
６  ストラップストッパ
７  キー取付金具
８  キー取付補助部材
１０  施錠確認支援用電子装置
１１  制御部
１２  計時部
１３  プログラム記憶部
１４  データ記憶部
１５  時刻設定ボタン
１６  液晶表示器
１７  確認ボタン
２０  キー使用センサ
２１  可動接点バネ
２１ａ  可動接点部
２１ｂ  固定部
２１ｃ  ストラップ案内穴
２２  固定接点
２３  センサケース
２３ａ  ストラップストッパ案内穴
２３ｂ  ストラップ案内穴
【図１】
2007023478.tif 000003
【図２】
2007023478.tif 000004
【図３】
2007023478.tif 000005
【図４】
2007023478.tif 000006